(57)【要約】【課題】この発明は利用者が座部体上で仰臥し易くしたソファーを提供することにある。【解決手段】座部体１と、座部体の後端側に長手方向ほぼ全長にわたって設けられた背部体７と、座部体の長手方向両端面に設けられた一対の肘かけ体１１とを備え、  少なくとも一方の肘かけ体は、座部体の長手方向の端面に固定された基部１２と、基部にヒンジ機構１３によって起立した状態で倒伏不能に保持されるとともに起立状態から上昇させて座部体の長手方向外方へ倒伏させることでほぼ水平な状態で保持される可動部１４とによって構成されている。【選択図】      図２
2005270389.tif 000002
【特許請求の範囲】
【請求項１】
座部体と、
この座部体の後端側に長手方向ほぼ全長にわたって設けられた背部体と、
上記座部体の長手方向両端面に設けられた一対の肘かけ体とを備え、
少なくとも一方の上記肘かけ体は、
上記座部体の長手方向の端面に固定された基部と、
この基部にヒンジ機構によって起立した状態で倒伏不能に保持されるとともに起立状態から上昇させて上記座部体の長手方向外方へ倒伏させることでほぼ水平な状態で保持される可動部とによって構成されていることを特徴とするソファー。
【請求項２】
上記ヒンジ機構は、
上下方向に沿う長孔を有して上記基部に固定された取り付け具と、この取り付け具の長孔に一端部が支軸を介して回転可能かつスライド可能に保持され他端部が上記可動部に連結された連結部材と、
上記取り付け具に設けられ上記支軸が上記長孔の下端部に位置するときに上記連結部材をほぼ垂直に起立した状態で回動不能に保持し上記支軸を上記長孔の上端部にスライドさせたときに上記連結部材を倒伏方向に回動可能とするとともにほぼ水平な状態で保持するストッパ部材とによって構成されていることを特徴とする請求項１記載のソファー。
【請求項３】
上記座部体には、利用者がこの座部体上に仰臥した状態で身体の背面にマッサージを受けることができるマッサージ装置が設けられていることを特徴とする請求項１記載のソファー。
【発明の詳細な説明】
【技術分野】
【０００１】
この発明は複数の利用者が並んで腰掛けることができる長さを有するソファーに関する。
【背景技術】
【０００２】
周知のように、ソファーは座部体と、この座部体の前後方向後端に設けられた背部体と、上記座部体の長手方向両端に設けられた肘かけ体とから構成されており、利用者は通常、上記座部体に着座し、背部体に寄り掛って利用する。
【０００３】
たとえば、リビングルームなどに設置されるソファーとしては、複数の利用者が並んで腰掛けることができる長尺なタイプが用いられることが多い。しかしながら、ソファーを単に利用者が腰掛けるために利用するだけでなく、他の用途にも利用できるようにすることで、その付加価値を高めることが要望されている。
【０００４】
そこで、上記座部体にマッサージ装置を設け、利用者が座部体上に仰臥することでマッサージを受けることができるようにしたソファーが開発されている。
【発明の開示】
【発明が解決しようとする課題】
【０００５】
ところで、利用者がマッサージを受けるために座部体上に仰臥すると、座部体の長手方向の両端に設けられた肘かけ体に利用者の足部や頭部が当たり、邪魔になるということがある。
【０００６】
しかしながら、従来のソファーは肘かけ体を除去することができないから、利用者が座部体上で楽な姿勢で仰臥するということができなかった。しかも、肘かけ体を除去するようにしたのでは、座部体の長さ寸法が仰臥した利用者の身長よりも短い場合があるから、利用し難いということがある。
【０００７】
この発明は、利用者が座部体上で仰臥するような場合、肘かけ体を簡単に倒伏させてほぼ水平に保持することができるようにしたソファーを提供することにある。
【課題を解決するための手段】
【０００８】
この発明は、
座部体と、
この座部体の後端側に長手方向ほぼ全長にわたって設けられた背部体と、
上記座部体の長手方向両端面に設けられた一対の肘かけ体とを備え、
少なくとも一方の上記肘かけ体は、
上記座部体の長手方向の端面に固定された基部と、
この基部にヒンジ機構によって起立した状態で倒伏不能に保持されるとともに起立状態から上昇させて上記座部体の長手方向外方へ倒伏させることでほぼ水平な状態で保持される可動部とによって構成されていることを特徴とするソファーにある。
【０００９】
上記ヒンジ機構は、
上下方向に沿う長孔を有して上記基部に固定された取り付け具と、
この取り付け具の長孔に一端部が支軸を介して回転可能かつスライド可能に保持され他端部が上記可動部に連結された連結部材と、
上記取り付け具に設けられ上記支軸が上記長孔の下端部に位置するときに上記連結部材をほぼ垂直に起立した状態で回動不能に保持し上記支軸を上記長孔の上端部にスライドさせたときに上記連結部材を倒伏方向に回動可能とするとともにほぼ水平な状態で保持するストッパ部材とによって構成されていることが好ましい。
【００１０】
上記座部体には、利用者がこの座部体上に仰臥した状態で身体の背面にマッサージを受けることができるマッサージ装置が設けられていることが好ましい。
【発明の効果】
【００１１】
この発明によれば、肘かけ体を座部体の長手方向外方に倒伏させてほぼ水平に保持することができるから、利用者が座部体上で仰臥するような場合、肘かけ体が邪魔にならず、しかも肘かけ体が水平な状態で保持されるため、この肘かけ体を有効に利用することができる。
【発明を実施するための最良の形態】
【００１２】
以下、この発明の一実施の形態を図面を参照して説明する。  
図１はこの発明のソファーを示す斜視図であって、このソファーは座部体１を備えている。この座部体１の下面四隅部には脚２が設けられ、この脚２によって座部体１を所定の高さでほぼ水平に保持している。
【００１３】
上記座部体１は、図２に概略的構成を示すように支持部３と、この支持部３の上面に設けられたマッサージ装置４と、このマッサージ装置４の上面に着脱可能に設けられた座クッション体５とによって構成されている。上記支持部３は詳細は図示しないが、たとえば基枠に鋼線を張設した構成や基枠内にスプリングユニットを設置した構成などが適用される。
【００１４】
上記座クッション体５は図１に示すように座部体１の長さ寸法の約半分の長さ寸法の２つのに分割されている。また、マッサージ装置４は、図示しないマッサージローラが座部体１の長手方向ほぼ全長にわたって往復駆動される構成であって、このマッサージ装置４に仰臥した利用者の背面を全体にわたってマッサージすることができる構成となっている。
【００１５】
上記座部体１の前後方向後端には背部体７が座部体１の長手方向全長にわたって設けられている。この背部体７の上端にはヘッドレスト８が高さ調整可能に設けられている。さらに、座部体１の長手方向両端面には肘かけ体１１が設けられている。この肘かけ体１１は上記座部体１に固定された基部１２と、この基部１２に一対のヒンジ機構１３によって回動可能に連結された可動部１４とによって構成されている。
【００１６】
図３に示すように、上記基部１２は基部枠１５を有する。この基部枠１５内には座部体１の前後方向に沿う水平部材１６が設けられている。この水平部材１６には一対の上記ヒンジ機構１３が所定間隔で設けられている。
【００１７】
上記ヒンジ機構１３は図４に示すように上記水平部材１６にねじ止め固定されるベース板１７を備えている。このベース板１７には一対の取り付け板１８が所定の間隔で平行に立設されている。一対の取り付け板１８には上下方向に沿って細長い長孔１９が形成されている。
【００１８】
一対の取り付け板１８の幅方向一端部には、一部が一対の取り付け板１８間に入り込んだ第１のストッパ２１が固定して設けられ、他端部には同じく一部が一対の取り付け板１８間に入り込んだ第２のストッパ２２が上記第１のストッパ２１よりも低い位置に固定して設けられている。
【００１９】
上記長孔１９には帯板状の連結部材２３の一端部が支軸としてのボルト２４によってスライド可能かつ回転可能に支持されている。すなわち、上記ボルト２４には一対の取り付け板１８の外面に位置する一対のワッシャ２５が設けられているとともに、一方の取り付け板１８の外面側に突出した端部にはナット２６が螺合される。それによって、上記連結部材２３の一端部は上記ボルト2４を介して上記長孔１９に対しスライド可能かつ回転可能となっている。
【００２０】
そして、上記構成のヒンジ機構１３は、第１のストッパ２１が設けられた取り付け板１８の幅方向の一端部が上記座部体３の長手方向内側で、第２のストッパ２２が設けられた幅方向の他端部が外側を向くよう、上記水平部材１６にベース板１７を固定して設けられている。
【００２１】
上記連結部材２３の一端部には円弧部２７が形成されているとともに、幅方向一端部には円弧部２７よりも突出した凸部２８が形成されている。図５（ａ）に示すように、第１、第２のストッパ２１，２２がなす間隔は連結部材２３の幅寸法とほぼ同じに設定されている。
【００２２】
図３に示すように、上記肘かけ体１１を構成する可動部１４は可動枠３１を有し、この可動枠３１内には一対のヒンジ機構１３の連結部材２３と対応する間隔で一対の垂直部材３２が上下方向に沿って設けられている。
【００２３】
上記ヒンジ機構１３の連結部材２３の他端部は上記可動部１４の垂直部材２９に取り付け固定されている。図２に示すようにヒンジ機構１３のボルト２４を長孔１９の下端に位置させて連結部材２３をほぼ垂直に起立させると、この連結部材２３の一端部の幅方向一側と他側が上記第１のストッパ２１と第２のストッパ２２との間に入り込み、この連結部材２３が回動不能に保持されるようになっている。
【００２４】
それによって、肘かけ体１１を構成する可動部１４は図２に示すように、上部が上記座部体１に載置された座クッション体５よりも上方に突出してほぼ垂直で起立した状態で保持される。
【００２５】
図２に示す状態から可動部１４を、図５（ａ）に示すように連結部材２３の一端部に設けられたボルト２４が長孔１９の上端に当たるまで、連結部材２３とともに可動部１４を上昇させると、第１のストッパ２１が連結部材２３の一端部に形成された円弧部２７に対応する。それによって、連結部材２３はボルト２４を支点として図５（ａ）に矢印で示す座部体１の長手方向外方に倒伏可能となる。したがって、図５（ｂ）に示すように上記連結部材２３とともに可動部１４を倒伏させることができる。
【００２６】
可動部１４をほぼ水平になるまで倒伏させると、連結部材２３の先端に設けられた凸部２８が第１のストッパ２１に当たり、先端部の下側となる側面が第２のストッパ２２に当たる。
【００２７】
その状態で、連結部材２３は、肘かけ体１１の可動部１４とともにほぼ水平に保持されることになる。このとき、肘かけ体１１の上面は座部体１の上面よりもわずかに低い位置にあり、この上面にはたとえば背部体７に寄り掛るときに用いられる背クッション体３３（図５（ｂ）に鎖線で示す）が載置される。
【００２８】
それによって、背クッション体３３の上面を座クッション体５の上面と所定の位置関係、この実施の形態ではほぼ同じ高さであって、マッサージ装置４の上面よりもわずかに高い位置にできるようになっている。  
なお、肘掛け体１１の基部１２の基部枠１５と可動部１４の可動枠３１との外面は、図２に鎖線で示すようにそれぞれ外装体１５ａ，３１ａによって被覆されている。
【００２９】
このように構成されたソファーによれば、肘かけ体１１の可動部１４を図２に示すように垂直に起立させておけば、利用者が座部体１に着座したとき、この肘かけ体１１に肘をかけて楽な姿勢をとることができる。
【００３０】
利用者が座部体１に設けられたマッサージ装置４によってマッサージを受ける場合、まず、座部体１の上面に載置された座クッション体５を除去する。つぎに、座部体１の長手方向両端に設けられた一対の肘かけ体１１の可動部１４を長手方向外方へ倒す。
【００３１】
すなわち、図２に示すようにほぼ垂直に保持された肘かけ体１１の可動部１４を図５（ａ）に示すようにボルト２４が連結部材２３の長孔１９の上端に当たるまで上昇させた後、図５（ｂ）に示すように可動部１４を外方に倒す。
【００３２】
それによって、基部１２に連結されたヒンジ機構１３の連結部材２３の一端部が第１のストッパ２１と第２のストッパ２２とに当たり、ほぼ水平に倒伏した状態で保持されるから、この連結部材２３とともに可動部１４をほぼ水平に倒伏した状態で保持することができる。
【００３３】
したがって、利用者が座部体１上に仰臥してマッサージ装置４によってマッサージを受ける際、座部体１の長さが利用者の身長よりも短くても、その両端に設けられた肘かけ体１１が邪魔になるようなことがないばかりか、水平に倒伏して保持された可動部１４の上面に背部クッション体３３を載置することで、この上面を、たとえば利用者が頭部や足部を載せるために利用することもできる。
【００３４】
このように、肘かけ体１１を基部１２と、この基部１２に対してヒンジ機構１３によって回動可能に連結されるとともに倒伏方向へ回動させたときにほぼ水平な状態で保持される可動部１４とによって構成した。
【００３５】
そのため、利用者が座部体１上で仰臥してマッサージを受けるような場合、座部体１の長手方向両端に設けられた肘かけ体１１が邪魔になるようなことがないばかりか、この肘かけ体１１の可動部１４の上面を有効に利用することもできる。
【００３６】
この発明は上記一実施の形態に限定されず、たとえば上記一実施の形態では座部体の両端に設けられる一対の肘かけ体のそれぞれを基部と可動部とによって形成したが、一対の肘かけ体のどちらか一方だけを基部と可動部とによって形成してもよく、要は少なくとも一方が基部と可動部とによって形成されていればよい。
【００３７】
また、基部の高さ寸法を変えることで、肘かけ体の可動部を倒伏させたときに、この可動部の上面の高さを変えることが可能であるから、たとえば可動部を倒伏させたときの上面の高さを、マッサージ装置の上面の高さに一致させたり、座クッション体の上面の高さに一致させるようにしてもよい。
【００３８】
さらに、座部体にマッサージ装置が設けられたソファーを例に挙げて説明したが、座部体にマッサージ装置が設けられていないソファーであっても、利用者がソファーをベッド代わりに利用する場合に、肘かけ体の可動部を倒せば、頭部や足部が当たることのない状態で座部体上に仰臥することができる。
【図面の簡単な説明】
【００３９】
【図１】この発明のソファーを示す斜視図。
【図２】肘かけ体の可動部が垂直に支持された状態をソファーの一部とともに断面して示すソファーの正面図。
【図３】肘かけ体を示す縦断面図。
【図４】ヒンジ機構を示す分解斜視図。
【図５】（ａ）は肘かけ体の可動部を上昇させた状態を断面して示す正面図、（ｂ）は肘かけ体の可動部を上昇させた後、外方へ倒伏させて水平に保持した状態を断面して示す正面図。
【符号の説明】
【００４０】
１…座部体、４…マッサージ装置、７…背部体、１１…肘かけ体、１２…基部、１３…ヒンジ機構、１４…可動部、２１…第１のストッパ、２２…第２のストッパ、２３…連結部材。
【図１】
2005270389.tif 000003
【図２】
2005270389.tif 000004
【図３】
2005270389.tif 000005
【図４】
2005270389.tif 000006
【図５】
2005270389.tif 000007